(57)【特許請求の範囲】
【請求項１】
施工中の建物の手摺の施工と該手摺の緑化とを一体に行うための緑化手摺ユニットであって、
該緑化手摺ユニットは、プランターと、該プランターを収納すべく開口した収納口を備え該収納口に連設され前記プランターを保持すべく枠体で囲われたプランター収納部と、該プランター収納部の上方に連設される手摺部とが一体的に構成され、
前記プランター収納部は、収納したプランターを引き出すための引出機構を備え、
前記手摺部は、少なくとも一対の縦支柱と該縦支柱の上端に連接される横枠とを備える外枠部と、該外枠部の内側に配設される植物登はん用のワイヤーメッシュ部とから成ること
を特徴とする緑化手摺ユニット。
【請求項２】
引出機構は、一対の縦支柱に設けられてプランターの縁部を摺動自在に係止する一対のレール部材と、前記プランターの下部両端に設けられて当該プランターの下方の床面を転動するキャスター、又は当該プランターを載置する台車とから構成されること
を特徴とする請求項１に記載の緑化手摺ユニット。
【請求項３】
引出機構は、枠体に設けられる一対のアングル材と、該アングル材の上部に架け渡されるプランター受け板と、前記枠体に設けられ前記プランター受け板を押上げる一対のジャッキと、前記プランター受け板の下部に配設されて当該プランター受け板を載置する台車とから構成されること
を特徴とする請求項１に記載の緑化手摺ユニット。
【請求項４】
プランター収納部は、収納したプランターに自動灌水を行うための灌水チューブが装備されること
を特徴とする請求項１に記載の緑化手摺ユニット。
【発明の詳細な説明】
【技術分野】
【０００１】
本発明は、施工中の建物の手摺の施工と、手摺の緑化とを一体に行うための緑化手摺ユニットに関するものである。
【背景技術】
【０００２】
従来、植物の栽培に用いるプランターと、プランターに植生するつる植物等を登はんさせるための格子状のメッシュ部とを一体に構成した、建物の壁面緑化ユニットが知られている。
【０００３】
この建物の壁面緑化ユニットは、建物の壁面に鉄骨下地材や支持金物等を用いて、嵌め込み用の枠体を別途に作成し、この枠体に壁面緑化ユニットを嵌め込んで、建物の壁面に取り付けている。あるいは、バルコニー手摺に別途の緑化ユニットを取り付けている。
【０００４】
なお、特開２００４−１５９５８２号公報には、建築物用緑化構造及び緑化植物基盤が開示されており（特許文献１参照）、特開２００２−９７６５３号公報には、壁面緑化用ユニットパネルが開示されており（特許文献２参照）、特開２００２−７７号公報には、壁面緑化パネルが開示されている（特許文献３参照）。
【先行技術文献】
【特許文献】
【０００５】
【特許文献１】特開２００４−１５９５８２号公報
【特許文献２】特開２００２−９７６５３号公報
【特許文献３】特開２００２−７７号公報
【発明の概要】
【発明が解決しようとする課題】
【０００６】
この従来例の建物の壁面緑化ユニットにおいては、鉄骨下地材や支持金物等を用いるので、その分のコストが高くなり、また、嵌め込み用の枠体を別途に作成する施工手間が掛かるという問題点を有している。
【０００７】
また、外廊下、外階段及びバルコニー等のような手摺が必要な場所を緑化する際には、プランターが足掛かりとなることから乗越え防止の安全対策上、手摺の外側に当該プランターを設置する必要がある。この場合、従来の壁面緑化ユニットでは、上述のコスト高や施工手間の問題点の他に、手摺の外側への枠体の施工は作業性や安全性が悪く、また、設置後のメンテナンス性も悪いという問題点を有している。
【０００８】
従って、従来例における壁面緑化ユニットにおいては、上述のコスト高や施工手間の問題点を解決することと、手摺の外側への作業性を改善して、設置後のメンテナンス性を良好にすることに解決しなければならない課題を有している。
【課題を解決するための手段】
【０００９】
前記従来例の課題を解決するための本発明の要旨は、施工中の建物の手摺の施工と該手摺の緑化とを一体に行うための緑化手摺ユニットであって、該緑化手摺ユニットは、プランターと、該プランターを収納すべく開口した収納口を備え該収納口に連設され前記プランターを保持すべく枠体で囲われたプランター収納部と、該プランター収納部の上方に連設される手摺部とが一体的に構成され、前記プランター収納部は、収納したプランターを引き出すための引出機構を備え、前記手摺部は、少なくとも一対の縦支柱と該縦支柱の上端に連接される横枠とを備える外枠部と、該外枠部の内側に配設される植物登はん用のワイヤーメッシュ部とから成ることである。
【００１０】
前記引出機構は、一対の縦支柱に設けられてプランターの縁部を摺動自在に係止する一対のレール部材と、前記プランターの下部両端に設けられて当該プランターの下方の床面を転動するキャスター、又は当該プランターを載置する台車とから構成されること、；
前記引出機構は、枠体に設けられる一対のアングル材と、該アングル材の上部に架け渡されるプランター受け板と、前記枠体に設けられ前記プランター受け板を押上げる一対のジャッキと、前記プランター受け板の下部に配設されて当該プランター受け板を載置する台車とから構成されること、；
前記プランター収納部は、収納したプランターに自動灌水を行うための灌水チューブが装備されること、；
を含むものである。
【発明の効果】
【００１２】
本発明に係る緑化手摺ユニットによれば、手摺の施工と、手摺の緑化とを同時に行うので、作業工程が減縮され、施工性が良好であり、工期が短縮できる。
また、地上での作業になるので、施工時の安全性が確保できる。
そして、従来例のような嵌め込み用の枠体を製作しないので、その分施工手間が掛からず、構成部材を減少できる。従って、軽量化が可能であると共にコストダウンを図ることができる。
更に、建設終了時には緑化が完成しており、生育状況が良好である。
特に、プランター収納部は、収納したプランターを引き出すための引出機構を備えることによって、プランターを収納口から引き出して、手摺部の内側で植物の植え替えや土の管理を行えるので、メンテナンス性が良好であるという種々の優れた効果を奏する。
【００１４】
プランター収納部は、収納したプランターに自動灌水を行うための灌水チューブが装備されることによって、植物への水やりを自動的に行えるので、メンテナンス性が良好であるという優れた効果を奏する。
【図面の簡単な説明】
【００１６】
【図１】本発明に係る緑化手摺ユニット１１を設置位置に設置する状態を示す斜視図である。
【図２】第１実施例の引出機構を説明する、要部の斜視図である。
【図３】（イ）プランター１２の斜視図である。（ロ）プランター１２の他の実施例を示す、要部の斜視図である。（ハ）台車２８の要部の斜視図である。
【図４】第２実施例の引出機構を説明する、プランター収納部１３の斜視図である。
【図５】第２実施例の引出機構を説明する、プランター収納部１３の正面図である。
【図６】ジャッキ３４を説明する断面図である。
【図７】アングル材３９及びプランター受け板４０を説明する、要部の正面図である。
【図８】アングル材３９を説明する、要部の斜視図である。
【図９】プランター１２を引き出す状態を説明する、プランター収納部１３の側面図である。
【図１０】プランター１２とプランター受け板４０と台車３５とを分離して示した斜視図である。
【図１１】他の実施例のジャッキ４１を説明する、プランター収納部１３の正面図である。
【図１２】緑化手摺ユニット１１を仮設した工事用枠組足場５１の正面図である。
【図１３】緑化手摺ユニット１１を仮設した工事用枠組足場５１の側面図である。
【発明を実施するための形態】
【００１７】
次に、本発明の実施の形態について図面を参照しながら説明する。まず、図１において、符号１１は緑化手摺ユニットを示し、この緑化手摺ユニット１１は、プランター１２と、プランター１２を収納するプランター収納部１３と、プランター収納部１３の上方に連設される手摺部１４とが一体的に構成される。
【００１８】
プランター収納部１３は、内側に開口した収納口１５を備え、この収納口１５の外側が枠体１６で囲われている。プランター収納部１３には、収納したプランター１２の引き出しを容易に行うための引出機構を備える。引出機構の詳細は後述する。
【００１９】
手摺部１４は、少なくとも一対の縦支柱１７と該縦支柱１７の上端に連接される横枠１８とを備える外枠部１９と、外枠部１９の内側に配設される植物登はん用のワイヤーメッシュ部２０とから成る。外枠部１９とワイヤーメッシュ部２０とは、連結部２１で連結されている。
【００２０】
外枠部１９は、スチール製又はアルミ製の丸パイプ、角パイプ、又はフラットバーで形成されており、スチールの外周面には溶融亜鉛メッキが施されている。
【００２１】
ワイヤーメッシュ部２０は、四角形状の内枠部２０ａにワイヤーメッシュ２０ｂが格子状に配設されている。このようなワイヤーメッシュ部２０は、プランター１２に植生したつる植物３３等を登はんさせる部分である。
【００２２】
縦支柱１７の下方には、パイプ受け２２が設けられている。このパイプ受け２２は、灌水チューブ２３を支持する部分である。従って、プランター収納部１３は、プランター１２に自動灌水を行うための灌水チューブ２３が装備されるので、植物３３への水やりが自動的に行える。
【００２３】
次に、上述の引出機構について説明する。引出機構は、プランター１２を収納口１５から引き出して、植物３３の植え替えや土の管理等のメンテナンスを容易に行うために設けられる。
【００２４】
第１実施例の引出機構は、図２に示すように、一対の縦支柱１７にそれぞれ設けられる一対のレール部材２４から構成される。
【００２５】
レール部材２４は、例えばチャンネル材で形成され、プランター１２の縁部１２ａを摺動自在に係止する。引手部３２に指を掛けて手前に引けば、プランター１２を収納口１５から引き出せる。また、レール部材２４には、プランター１２を固定するための固定ネジ２９が設けられている。
【００２６】
プランター１２の下部１２ｂには、レベルアジャスター２５が設けられている。このレベルアジャスター２５を突出させて、プランター１２の固定状態を維持する。プランター１２を引き出す時には、レベルアジャスター２５を引っ込めて固定状態を解除する。
【００２７】
プランター１２の下部１２ｂの両端には、図３（ロ）に示すように、キャスター２６を設けてもよい。キャスター２６がプランター１２の下方の床面を転動する。
【００２８】
また、キャスター２６に替えて、図３（ハ）に示すように、キャスター２７付きの台車２８を別体で設けてもよい、この台車２８をプランター１２の底部１２ｂに配設して載置し、プランター１２を引き出す。
【００２９】
図２中の符号３０は、レール部材２４の先端部を塞ぐ化粧フタを示し、符号３１は、一対の縦支柱１７間に架け渡される横つなぎ材を示す。図３（イ）中の符号２９ａは、固定ネジ２９を螺合する固定ネジ孔を示す。
【００３０】
次に、第２実施例の引出機構を図４及び図５に示す。この引出機構は、枠体１６に取り付けられる一対のアングル材３９と、アングル材３９の上部に架け渡されるプランター受け板４０と、枠体１６に取り付けられプランター受け板４０を押上げる一対のジャッキ３４と、プランター受け板４０の下部に配設されるキャスター３５ａ付きの台車３５とから構成される。
【００３１】
ジャッキ３４は、図６に示すように、レバー３６を押し下げると、ギアー３７が螺合するロッド３８を上方に突出する仕組みになっている。
【００３２】
通常時は、図７及び図８に示すように、枠体１６の内側に設けたアングル材３９の上部に、プランター受け板４０が架け渡されており、このプランター受け板４０の上部にプランター１２が載置されている。
【００３３】
メンテナンス時にプランター１２を引き出す方法について説明する。まず、レバー３６を操作して、ジャッキ３４のロッド３８を突出させ、プランター受け板４０と共にプランター１２を押し上げる。この状態で、プランター１２の下部に台車３５を差し入れる（図５参照）。次に、ロッド３８を下げ、プランター受け板４０と共にプランター１２を台車３５に載置して、収納口１５から引き出す（図９参照）。
【００３４】
図１０は、プランター１２と、プランター受け板４０と、台車３５とを分離して示した斜視図である。プランター受け板４０の表面には長孔４２が形成されており、裏面には、剛性を持たせるためにリブ４５が形成されている。また、台車３５の表面には補強用の丸鋼４３が設けられている。
【００３５】
図１１は、他の実施例のジャッキ４１を説明する、プランター収納部１３の正面図である。このジャッキ４１は、空気圧式であって、キャスター４６ａ付きの台車４６の上部に配設される。図示しないポンプでジャッキ４１を膨出させると、プランター受け板４０と共にプランター１２が押し上がり、アングル材３９から離隔するので、台車４６と一緒にプランター１２を収納口１５から引き出す。
【００３６】
このような緑化手摺ユニット１１は、外廊下、外階段及びバルコニー等のような手摺が必要な場所を緑化する際に用いられ、施工位置のスラブコンクリート５８に予め設けたさや管４４に対して、縦支柱１７の下端部をボルトで固定する。更に、隣接する緑化手摺ユニット１１同士の端部を固定してから、パイプ受け２２に灌水チューブ２３を配設して、図示しない散水ポンプや散水タイマーをセットする。
【００３７】
以上のように構成される緑化手摺ユニット１１は、プランター１２と、プランター収納部１３と手摺部１４とが一体的に構成されるので、施工中の建物の手摺の施工と、手摺の緑化とを同時に行うことができる。つまり、植物３３を先行栽培した緑化手摺ユニット１１を、施工中の建物の手摺の施工時に所定の施工位置に移設することで、作業工程が減縮され、施工性が良好であり、工期が短縮できるという利点がある。
【００３８】
次に、緑化手摺ユニット１１を用いた建物の緑化方法について、図１２及び図１３を参照しながら説明する。
【００３９】
施工中の建物５５に沿って設けられる工事用枠組足場５１の外側に、緑化手摺ユニット１１を取り付ける取付部５３を設け、この取付部５３に縦支柱１７の下端部をボルトで固定して、緑化手摺ユニット１１を仮設する。このような方法で工事用枠組足場５１の外側に複数の取付部５３を連設して、複数の緑化手摺ユニット１１を複数階に渡って仮設する。なお、図１２及び図１３中の符号５６は足場板を示し、符号５７は垂下植物を示す。
【００４０】
工事用枠組足場５１の外側に仮設した緑化手摺ユニット１１は、プランター１２の植物３３を先行栽培して、ワイヤーメッシュ部２０に植物３３を登はんさせる。その後、施工中の建物５５の手摺の施工時に、緑化手摺ユニット１１を所定の設置位置に移設する。
【００４１】
このような建物の緑化方法によれば、建設現場において環境技術や環境意識の高さを広告、宣伝できる利点がある。
【符号の説明】
【００４２】
１１  緑化手摺ユニット
１２  プランター
１２ａ  縁部
１２ｂ  下部
１３  プランター収納部
１４  手摺部
１５  収納口
１６  枠体
１７  縦支柱
１８  横枠
１９  外枠部
２０  ワイヤーメッシュ部
２０ａ  内枠部
２０ｂ  ワイヤーメッシュ
２１  連結部
２２  パイプ受け
２３  灌水チューブ
２４  レール部材
２５  レベルアジャスター
２６、２７  キャスター
２８  台車
２９  固定ネジ
２９ａ  固定ネジ孔
３０  化粧フタ
３１  横つなぎ材
３２  引手部
３３  植物
３４  ジャッキ
３５  台車
３５ａ  キャスター
３６  レバー
３７  ギアー
３８  ロッド
３９  アングル材
４０  プランター受け板
４１  ジャッキ
４２  長孔
４３  丸鋼
４４  さや管
４５  リブ
４６  台車
４６ａ  キャスター
５１  工事用枠組足場
５３  取付部
５５  施工中の建物
５６  足場板
５７  垂下植物
５８  スラブコンクリート
５９  排水溝
【図１】
0005753403.tif 000002
【図２】
0005753403.tif 000003
【図３】
0005753403.tif 000004
【図４】
0005753403.tif 000005
【図５】
0005753403.tif 000006
【図６】
0005753403.tif 000007
【図７】
0005753403.tif 000008
【図８】
0005753403.tif 000009
【図９】
0005753403.tif 000010
【図１０】
0005753403.tif 000011
【図１１】
0005753403.tif 000012
【図１２】
0005753403.tif 000013
【図１３】
0005753403.tif 000014